(57)【要約】      （修正有）【課題】ワイシャツ及びこれに類する衣類のカラー周りに装着した際に外部から殆ど見えなくなりノーネクタイでも体裁が良好であり、首周りの快適な保冷効果も得ることができ、首回りへの装着、取り外しも簡略容易である首周り保冷具を提供する。【解決手段】首周り保冷具１は、含水により保冷効果を発揮する接触冷感素材生地を用いてワイシャツ２１等のカラーサイズより長いサイズの細長袋帯状に形成した保冷具本体と、保冷具本体の一端近傍に取り付けたボタン４と、保冷具本体の他端近傍に設けたボタンホールと、を有し、保冷具本体の一端側を折り返してボタン４をシャツ側ボタンホールに掛け留め、保冷具本体の他端側を折り返してボタンホールにシャツ側ボタン２２を掛け留めてワイシャツ２１等のカラーの内側に沿って装着配置する構成としたものである。【選択図】図５
2014140451.tif 000002
【特許請求の範囲】
【請求項１】
シャツのカラーの内側に配置して首周りの保冷を行う首周り保冷具であって、
含水により保冷効果を発揮する接触冷感素材生地を用いて細長袋帯状に形成した保冷具本体と、
前記保冷具本体の一端近傍に取り付けたボタンと、
前記保冷具本体の他端近傍に設けたボタンホールと、
を有し、
前記ボタンをシャツ側ボタンホールに掛け留め、前記ボタンホールにシャツ側ボタンを掛け留めてシャツのカラーの内側に沿って装着配置することで、前記接触冷感素材生地により首周りの保冷を行うようにしたことを特徴とする首周り保冷具。
【請求項２】
ワイシャツ及びこれに類する衣類のカラーの内側に配置して首周りの保冷を行う首周り保冷具であって、
含水により保冷効果を発揮する接触冷感素材生地を用いて前記ワイシャツ及びこれに類する衣類のカラーサイズより長いサイズの細長袋帯状に形成した保冷具本体と、
前記保冷具本体の一端近傍に取り付けたボタンと、
前記保冷具本体の他端近傍に設けたボタンホールと、
を有し、
前記保冷具本体の一端側を折り返してボタンをシャツ側ボタンホールに掛け留め、前記保冷具本体の他端側を折り返して前記ボタンホールにシャツ側ボタンを掛け留めてワイシャツ及びこれに類する衣類のカラーの内側に沿って装着配置することで、前記接触冷感素材生地により首周りの保冷を行うようにしたことを特徴とする首周り保冷具。
【請求項３】
ワイシャツ及びこれに類する衣類のカラーの内側に配置して首周りの保冷を行う首周り保冷具であって、
含水により保冷効果を発揮する接触冷感素材生地を用いて前記ワイシャツ及びこれに類する衣類のカラーサイズより長いサイズの細長袋帯状に形成した保冷具本体と、
前記保冷具本体内部に収納したマイクロファイバー材と、
前記保冷具本体の一端近傍に取り付けたボタンと、
前記保冷具本体の他端近傍に設けたボタンホールと、
を有し、
前記保冷具本体の一端側を折り返してボタンをシャツ側ボタンホールに掛け留め、前記保冷具本体の他端側を折り返して前記ボタンホールにシャツ側ボタンを掛け留めてワイシャツ及びこれに類する衣類のカラーの内側に沿って装着配置することで、前記接触冷感素材生地により首周りの保冷を行うようにしたことを特徴とする首周り保冷具。
【請求項４】
ワイシャツ及びこれに類する衣類のカラーの内側に配置して首周りの保冷を行う首周り保冷具であって、
含水により保冷効果を発揮する接触冷感素材生地を用いて細長袋帯状に形成した保冷具本体と、
前記保冷具本体の一端近傍に取り付けたボタンと、
前記保冷具本体の他端近傍に設けたボタンホールと、
を有し、
前記保冷具本体をワイシャツ及びこれに類する衣類のカラーの内側に沿う状態で首周りに巻き、前記ボタンを前記ボタンホールに掛け留めてこの首周り保冷具自体を首周りに装着し、前記接触冷感素材生地により首周りの保冷を行うようにしたことを特徴とする首周り保冷具。
【請求項５】
ワイシャツ及びこれに類する衣類のカラーの内側に配置して首周りの保冷を行う首周り保冷具であって、
含水により保冷効果を発揮する接触冷感素材生地を用いて細長袋帯状に形成した保冷具本体と、
前記保冷具本体内部に収納したマイクロファイバー材と、
前記保冷具本体の一端近傍に取り付けたボタンと、
前記保冷具本体の他端近傍に設けたボタンホールと、
を有し、
前記保冷具本体をワイシャツ及びこれに類する衣類のカラーの内側に沿う状態で首周りに巻き、前記ボタンを前記ボタンホールに掛け留めてこの首周り保冷具自体を首周りに装着し、前記接触冷感素材生地により首周りの保冷を行うようにしたことを特徴とする首周り保冷具。
【発明の詳細な説明】
【技術分野】
【０００１】
本発明は、首周り保冷具に関し、詳しくは、ワイシャツ及びこれに類する衣類のカラー周りに装着した際に外部から殆ど見えなくなりノーネクタイでも体裁が良好であり、首周りの快適な保冷効果も得ることができ、首回りへの装着、取り外しも簡略容易である首周り保冷具に関するものである。
【背景技術】
【０００２】
従来、ノーネクタイでワイシャツ等を着用した状態で首周りの保冷を行う種々の首周り保冷具が提案されているが、例えばスカーフ形態等の首周り保冷具の場合、実際にワイシャツ等のカラー周りに装着した際に外部から視認されてしまい、フォーマル仕様又はオフィス仕様等のスーツを着用するような場合においては外観上の観点から当該首周り保冷具の使用をためらう事態が多い。
【０００３】
また、ポリマー使用の首周り保冷具や、ＰＶＡタオル生地使用の首周り保冷具は、洗濯する際に洗剤を使用した場合洗剤成分が素材に保持されてしまい、洗濯ができないか又は雑菌が素材中に残り、使用者の肌のかぶれ、肌荒れや湿疹の原因になるという不都合な事態が生じていた。
【０００４】
特許文献１には、シャツの襟の内側であって、着用者の首回りに装着され着用者の首回りを冷却する帯状の冷却用カラーにおいて、吸水性の低い繊維により形成された着用者の首側の側面とシャツの襟側に対向する側面とを有した帯状の本体と、当該首側の側面と襟側に対向する側面との間に包まれた、より吸水性の高い繊維及び又はより吸水性の高い高吸水性ポリマーと、前記帯状本体の側面を帯状本体の長さ方向に上下に仕切る縫製部と、当該縫製部の上側に収容された着用者の首を中心として半周を超える角度の半円弧形状を記憶した芯と、前記襟側の側面の下側の範囲に配置されたモノフィラメントで編成された生地とを有する構成の冷却用カラーが提案されている。
【０００５】
しかし、特許文献１の冷却用カラーの場合、帯状の本体、帯状本体の長さ方向に上下に仕切る縫製部、高吸水性ポリマー、半円弧形状を記憶した芯、モノフィラメント生地等からなる複雑構成であり、着用者の首回りへの装着、取り外しが煩雑であるとともに、ポリマー使用の構成であるため、既述したように洗濯する際に洗剤を使用した場合、洗剤成分が素材に保持されてしまい、使用者の肌のかぶれ、肌荒れや湿疹を生じさせる惧れがあると推定される。
【先行技術文献】
【特許文献】
【０００６】
【特許文献１】特許第４９７２２３６号公報
【発明の概要】
【発明が解決しようとする課題】
【０００７】
本発明が解決しようとする問題点は、実際にワイシャツ等のカラー周りに装着した際に外部から殆ど見えなくなりノーネクタイでも体裁が良好であり、首周りの快適な保冷効果も得ることができ、首回りへの装着、取り外しも簡略容易であり、更に洗剤を使用した洗濯を行った場合でも使用者の肌のかぶれ、肌荒れや湿疹等を生じさせる惧れがないような首周り保冷具が存在しない点である。
【課題を解決するための手段】
【０００８】
本発明は、シャツのカラーの内側に配置して首周りの保冷を行う首周り保冷具であって、含水により保冷効果を発揮する接触冷感素材生地を用いて細長袋帯状に形成した保冷具本体と、前記保冷具本体の一端近傍に取り付けたボタンと、前記保冷具本体の他端近傍に設けたボタンホールと、を有し、前記ボタンをシャツ側ボタンホールに掛け留め、前記ボタンホールにシャツ側ボタンを掛け留めてシャツのカラーの内側に沿って装着配置することで、前記接触冷感素材生地により首周りの保冷を行うようにしたことを最も主要な特徴とする
【発明の効果】
【０００９】
請求項１記載の発明によれば、ボタンをシャツ側ボタンホールに掛け留め、ボタンホールにシャツ側ボタンを掛け留めてシャツのカラーの内側に沿って装着配置することにより、首周り保冷具が外部から殆ど見えなくなってノーネクタイでも体裁が良好であり、首周りの快適な保冷効果も得ることができ、更に、首回りへの装着、取り外しも簡略容易である首周り保冷具を実現し提供することができる。
【００１０】
請求項２記載の発明によれば、保冷具本体の一端側を折り返してボタンをシャツ側ボタンホールに掛け留め、保冷具本体の他端側を折り返してボタンホールにシャツ側ボタンを掛け留めてワイシャツ及びこれに類する衣類のカラーの内側に沿って装着配置することで、首周り保冷具が外部から殆ど見えなくなってノーネクタイでも体裁が良好であり、首周りの快適な保冷効果も得ることができ、更に、首回りへの装着、取り外しも簡略容易である首周り保冷具を実現し提供することができる。
【００１１】
請求項３記載の発明によれば、請求項２記載の発明と同様な効果を奏するとともに、保冷具本体内にマイクロファイバー材を収納したことによって、洗剤を用いて洗濯した場合にも、洗剤成分はマイクロファイバー材内に留まることはなく、使用者の肌のかぶれ、肌荒れ、湿疹等の発生を回避することもできる首周り保冷具を実現し提供することができる。
【００１２】
請求項４記載の発明によれば、保冷具本体のボタンをこの保冷具本体のボタンホールに掛け留めることで、シャツ側ボタン、シャツ側ボタンホールを使用することなくこの保冷具本体をワイシャツ及びこれに類する衣類のカラーの内側に沿う状態で首周りに配置することができ、ワイシャツ及びこれに類する衣類のシャツ側ボタンをシャツ側ボタンホールに掛け留めることで、首周り保冷具をワイシャツ及びこれに類する衣類のカラー内部に隠し外部から見えなくすることができ、ネクタイを着用し、更にはフォーマル仕様又はオフィス仕様等のスーツを着用するような場合においても接触冷感素材生地による首周りの保冷効果を得て快適性を享受することができ、また、首回りへの装着、取り外しも簡略容易である首周り保冷具を実現し提供することができる。
【００１３】
請求項５記載の発明によれば、請求項４記載の発明と同様な効果を奏するとともに、保冷具本体内にマイクロファイバー材を収納したことによって、洗剤を用いて洗濯した場合にも、洗剤成分はマイクロファイバー材内に留まることはなく、使用者の肌のかぶれ、肌荒れ、湿疹等の発生を回避することもできる首周り保冷具を実現し提供することができる。
【図面の簡単な説明】
【００１４】
【図１】図１は本発明の実施例１に係る首周り保冷具の表面図である。
【図２】図２は本実施例１に係る首周り保冷具の平面図である。
【図３】図３は図１のＡ−Ａ線断面図である。
【図４】図４はワイシャツ等の第１ボタンを外した状態を示す概略斜視図である。
【図５】図５は本実施例１に係る首周り保冷具をワイシャツ等のカラー内部に装着した状態を示す概略斜視図である。
【図６】図６は本実施例１に係る首周り保冷具の変形例の平面図である。
【図７】図７は図６に示す首周り保冷具をワイシャツ等のカラー内部に装着した状態を示す概略斜視図である。
【図８】図８は本発明の実施例２に係る首周り保冷具の平面図である。
【図９】図９は本実施例２に係る首周り保冷具を首周りに装着する態様を示す概略斜視図である。
【図１０】図１０は本発明の実施例１に係る首周り保冷具における保冷具本体の構造変更例を示す概略断面図である。
【発明を実施するための形態】
【００１５】
本発明は、実際にワイシャツ及びこれに類する衣類のカラー周りに装着した際に外部から殆ど見えなくなりノーネクタイでも体裁が良好であり、首周りの快適な保冷効果も得ることができ、首回りへの装着、取り外しも簡略容易である首周り保冷具を提供するという目的を、ワイシャツ及びこれに類する衣類のカラーの内側に配置して首周りの保冷を行う首周り保冷具であって、含水により保冷効果を発揮する接触冷感素材生地を用いて前記ワイシャツ等のカラーサイズより長いサイズの細長袋帯状に形成した保冷具本体と、前記保冷具本体の一端近傍に取り付けたボタンと、前記保冷具本体の他端近傍に設けたボタンホールと、を有し、前記保冷具本体の一端側を折り返して前記ボタンをシャツ側ボタンホールに掛け留め、前記保冷具本体の他端側を折り返して前記ボタンホールにシャツ側ボタンを掛け留めてワイシャツ等のカラーの内側に沿って装着配置することで、前記接触冷感素材生地により首周りの保冷を行う構成により実現した。
【実施例】
【００１６】
以下、本発明の実施例に係る首周り保冷具について図面を参照して詳細に説明する。
【００１７】
（実施例１）
本実施例１に係る首周り保冷具１は、図１乃至図３に示すように、含水により保冷効果を発揮する接触冷感素材生地３を用いて図４に示すような例えばワイシャツ２１等のカラーサイズＬより長いサイズの細長袋帯状に形成した保冷具本体２と、前記保冷具本体２の一端近傍位置の表裏に対応配置に取り付けた２個のボタン４、４と、前記保冷具本体の他端近傍に設けた前記ボタン４を掛け留めるためのボタンホール５と、を有している。
【００１８】
前記保冷具本体２は、例えば全周袋縫い加工により細長袋帯状に形成され、また、その全長Ｌ０は図４に示すワイシャツ２１等のカラーサイズＬより両端が例えば１ｃｍ程度ずつ突出する長さ(Ｌ０＞Ｌ)としている。また、保冷具本体２の幅寸法はワイシャツ２１等のカラーサイズよりも少し狭幅に設定している。
【００１９】
前記接触冷感素材生地３は、例えばキュープラテ（（株）東レ：登録商標）を素材（特殊無機粒子をナイロンポリマー中にブレンドした素材）として採用したものであり、水分を与えると気化熱で冷却効果を発揮する高吸放湿機能を有し、更には首周り等の日焼け防止効果を発揮するＵＶカット機能も有するものである。
【００２０】
次に、本実施例１に係る首周り保冷具１のワイシャツ２１等のカラー部分への装着態様について図４、図５を参照して説明する。
【００２１】
図４に示すように、ワイシャツ２１等のシャツ側ボタン（第１ボタン）２２をシャツ側ボタンホール（第１ボタンホール）２３から外した状態とし、この状態で保冷具本体２をワイシャツ２１等のカラー部分へ添着し、その両端をカラー部分の両端、すなわち、シャツ側ボタン２２、シャツ側ボタンホール２３の近傍位置から側方へ各々１ｃｍ程度ずつ突出させる。
【００２２】
このとき、保冷具本体２のボタン４側をシャツ側ボタンホール２３側に、保冷具本体２のボタンホール５側をシャツ側ボタン２２側に位置させる。
【００２３】
そして、前記保冷具本体２の一端側を折り返して前記ボタン４、４のうち一方のボタン４をシャツ側ボタンホール２３に掛け留め、前記保冷具本体２の他端側を折り返して前記ボタンホール５にシャツ側ボタン２２を掛け留める。
【００２４】
これにより、図５に示すように、首周り保冷具１は、前記シャツ側ボタン２２、シャツ側ボタンホール２３を利用してワイシャツ２１等のカラー部分に沿って装着配置されることになり、このような首周り保冷具１を装着したワイシャツ２１等をノーネクタイで着用した使用者は、前記接触冷感素材生地３による首周りの保冷効果を得て快適性を享受することができる。
【００２５】
そして、この場合には、前記シャツ側ボタン２２と、シャツ側ボタンホール２３とを掛け留めないで、かつ、シャツ側ボタン２２及びその付近の保冷具本体２の端部の僅かな部分と、前記ボタン４、４のうち他方のボタン４及びその付近の保冷具本体２の端部の僅かな部分とが襟元に少し露出するだけの体裁の良い状態となり、首周り保冷具１の大部分は外部からほとんど見えなくなることから、ワイシャツ２１等の上にノーネクタイでフォーマル仕様又はオフィス仕様等のスーツを着用するような場合でも違和感なく進んで着用できるという斬新な効果を発揮させることができる。
【００２６】
また、本実施例１の首周り保冷具１によれば、格別の付属品を全く必要とせず、保冷具本体２のボタン４をシャツ側ボタンホール２３に掛け留め、保冷具本体２のボタンホール５にシャツ側ボタン２２を掛け留めるだけの手間で、簡略容易にワイシャツ２１等のカラーの内側に沿って装着配置することができ、更には、取り外すことも容易で首周り保冷具１の取り扱いが極めて簡便となる。
【００２７】
なお、上述した首周り保冷具１においては、前記保冷具本体２の一端近傍位置の表裏に対応配置に２個のボタン４、４を取り付けた例を示したが、図６に示すように、前記保冷具本体２の一端近傍位置の例えば表面のみに１個のボタン４を取り付けた構成とすることができる。
【００２８】
このような首周り保冷具１をワイシャツ２１等のカラー部分に沿って装着配置した場合には、図７に示すように、シャツ側ボタン２２及びその付近の保冷具本体２の端部の僅かな部分が襟元に少し露出し、また、前記１個のボタン４は隠れその付近の保冷具本体２の端部の僅かな部分が襟元に少し露出するという体裁の良い状態の基に上述した場合と同様な効果を発揮させることができる。
【００２９】
（実施例２）
本発明の実施例２に係る首周り保冷具１Ａについて図８、図９を参照して説明する。
【００３０】
本実施例２に係る首周り保冷具１Ａは、基本的構成は本実施例１の首周り保冷具１と同様であるため、同一の要素には同一の符号を付し、詳細説明は省略する。
【００３１】
本実施例２に係る首周り保冷具１Ａは、図８に示すように、その全長をワイシャツ２１等のカラーサイズＬと略同様な寸法とし、かつ、保冷具本体２の一端近傍位置の例えば表裏両面に対応配置に２個のボタン４、４を取り付けた構成として、この首周り保冷具１Ａ自体で使用者の首周りに装着するようにしたことが特徴である。
【００３２】
すなわち、使用者はワイシャツ２１等のシャツ側ボタン（第１ボタン）２２をシャツ側ボタンホール（第１ボタンホール）２３から外した状態とし、この状態で図９に示す態様で、首周り保冷具１Ａを首周りに巻き、保冷具本体２における一方のボタン４をボタンホール５に掛け留め、首周り保冷具２自体を首周りに装着する。
【００３３】
このとき、２個のボタン４、４のうちの他方のボタン４は使用者の喉の前方に露出する状態で位置することになる。
【００３４】
このようにして、本実施例２に係る首周り保冷具１Ａによれば、保冷具本体２のボタン４をボタンホール５に掛け留めることで、シャツ側ボタン２２、シャツ側ボタンホール２３を使用することなくこの保冷具本体２をワイシャツ２１等のカラーの内側に沿う状態で首周りに配置することができる。
【００３５】
したがって、使用者は、首周り保冷具１Ａを装着した後、ワイシャツ２１等のシャツ側ボタン２２をシャツ側ボタンホール２３に掛け留めることで、首周り保冷具１Ａをワイシャツ２１等のカラー内部に隠し外部から見えなくすることができ、ネクタイを着用し、更にはフォーマル仕様又はオフィス仕様等のスーツを着用するような場合においても前記接触冷感素材生地３による首周りの保冷効果を得て快適性を享受することができることになり、違和感なく進んで着用できるという斬新な効果を発揮させることができる。
【００３６】
なお、本実施例２に係る首周り保冷具１Ａにおいても、図６に示す場合と同様、保冷具本体２に１個のボタン４を取り付けた構成とすることができ、この場合にも上述した場合と同様な効果を発揮させることができる。
【００３７】
図１０は、上述した保冷具本体２の構造変更例である保冷具本体２Ａを示すものであり細長袋帯状とした接触冷感素材生地３の内部に、マイクロファイバー（microfiber）材６を収納したことが特徴である。
【００３８】
前記マイクロファイバー材６は、公知のように化学的に組成された例えば８マイクロメートル以下の極細のナイロンやポリエステルなどの繊維で構成され、綿と同等以上の吸水性や通気性、速乾性を持たせた素材である。
【００３９】
このような保冷具本体２Ａを用いて構成した実施例２の首周り保冷具１Ａによれば、既述した首周り保冷具１の場合と同様な効果を発揮させることができ、更に、前記マイクロファイバー材６を内装していることから、この首周り保冷具１を、洗剤を用いて洗濯した場合にも、洗剤成分はマイクロファイバー材６内に留まることはなく、これにより、使用者の肌のかぶれ、肌荒れ、湿疹等の発生を回避することができる。
【００４０】
前記保冷具本体２Ａを用いて構成した実施例２に係る首周り保冷具１Ａの場合も同様にして使用者の肌のかぶれ、肌荒れ、湿疹等の発生を回避することができる。
【産業上の利用可能性】
【００４１】
本発明の首周り保冷具は、上述したようなワイシャツ及びこれに類する衣類用として利用する他、ワイシャツ等と同様なカラーを有するポロシャツ等のシャツ類用として広範に適用可能である。
【符号の説明】
【００４２】
１    保冷具
１Ａ  保冷具
２    保冷具本体
２Ａ  保冷具本体
３    接触冷感素材生地
４    ボタン
５    ボタンホール
６    マイクロファイバー材
２１    ワイシャツ及びこれに類する衣類
２２    シャツ側ボタン
２３    シャツ側ボタンホール
【図１】
2014140451.tif 000003
【図２】
2014140451.tif 000004
【図３】
2014140451.tif 000005
【図４】
2014140451.tif 000006
【図５】
2014140451.tif 000007
【図６】
2014140451.tif 000008
【図７】
2014140451.tif 000009
【図８】
2014140451.tif 000010
【図９】
2014140451.tif 000011
【図１０】
2014140451.tif 000012